(57)【要約】【目的】  本発明の目的は、エアー注入部に容易に給気及び／又は排気することができる遊戯用プールを提供する。【構成】  プールは、エアー注入部２００に設けられたポンプ収容部３００と、ポンプ収容部３００のポンプ接続部３２０の底に設けられた給排気口３３０と、エアー注入部２００内に配置され且つ給排気口３３０を開閉可能なシール部材３５０と、給排気口３３０の縁部に懸架された懸架部材３４０と、シール部材３５０に設けられ且つ懸架部材３４０の孔部３４１に移動自在に挿入された突出部材３６０と、懸架部材３４０の孔部３４１の外周縁部と突出部材３６０のフランジ３６３の間に介在し、シール部材３５０を閉方向に付勢するコイルスプリング３７０とを備えている。【選択図】      図４
2011058598.tif 000002
【特許請求の範囲】
【請求項１】
エアー注入部に対してエアーを給排気するエアー注入部の給排気構造であって、
前記エアー注入部に設けられた給排気口と、
前記エアー注入部内に配置され且つ前記給排気口を開閉可能なシール部材と、
このシール部材に設けられ且つ前記給排気口から前記エアー注入部外に突出する部材であって、先端部にフランジを有する突出部材と、
前記給排気口の外縁部と前記突出部材のフランジとの間に介在し、前記シール部材を閉方向に付勢する付勢手段とを備えていることを特徴とするエアー注入部の給排気構造。
【請求項２】
請求項２記載のエアー注入部の給排気構造において、
前記給排気口の縁部には懸架部材が懸架されており、この懸架部材には、前記突出部材が移動自在に挿入された孔部が設けられており、
前記付勢手段は、前記給排気口の外縁部と前記突出部材のフランジとの間ではなく、前記懸架部材の孔部の縁部と前記突出部材のフランジとの間に介在し、前記シール部材を閉方向に付勢していることを特徴とするエアー注入部の給排気構造。
【請求項３】
請求項１又は２記載のエアー注入部の給排気構造において、
前記給排気口はエアーポンプの給気部、排気部又は給排気部が接続可能になっており、
前記給排気口に接続されたエアーポンプの給気部、排気部又は給排気部に、前記突出部材のフランジが前記付勢手段の付勢力に抗して押圧されることにより、前記シール部材が前記給排気口を開放するようになっていることを特徴とするエアー注入部の給排気構造。
【請求項４】
請求項１又は２記載のエアー注入部の給排気構造において、
前記給排気口はエアーポンプの給気部又は給排気部が接続可能になっており、
前記給気部又は給排気部から給気されるエアーに前記シール部材が前記付勢手段の付勢力に抗して押圧されることにより、該シール部材が前記給排気口を開放するようになっていることを特徴とするエアー注入部の給排気構造。
【請求項５】
請求項１又は２記載のエアー注入部の給排気構造において、
前記エアー注入部の外面に設けられた凹部を更に備えており、
前記給排気口は、前記エアー注入部ではなく、前記凹部の底板部又は側壁部に設けられており、
前記突出部材の前記給排気口から突出する部分及びフランジが、前記凹部内に配置されていることを特徴とするエアー注入部の給排気構造。
【請求項６】
請求項３又は４記載のエアー注入部の給排気構造において、
前記エアー注入部の外面に設けられた凹状のポンプ収容部を更に備えており、
前記給排気口は、前記エアー注入部ではなく、前記ポンプ収容部の底板部又は側壁部に設けられており、
前記突出部材の前記給排気口から突出する部分及びフランジが、前記ポンプ収容部内に配置されていることを特徴とするエアー注入部の給排気構造。
【請求項７】
請求項５記載のエアー注入部の給排気構造において、
前記凹部を塞ぐカバーを更に備えていることを特徴とするエアー注入部の給排気構造。
【請求項８】
請求項６記載のエアー注入部の給排気構造において、
前記ポンプ収容部を塞ぐカバーを更に備えていることを特徴とするエアー注入部の給排気構造。
【請求項９】
請求項７又は８記載のエアー注入部の給排気構造において、
前記カバーを開状態及び／又は閉状態で維持するロック手段を更に備えていることを特徴とするエアー注入部の給排気構造。
【請求項１０】
エアー注入部に対してエアーを給気するエアー注入部の給気構造であって、
前記エアー注入部に設けられた給気口と、
前記エアー注入部内に配置され且つ前記給気口を開閉可能なシール部材と、
このシール部材に設けられ且つ前記給気口から前記エアー注入部外に突出する部材であって、先端部にフランジを有する突出部材と、
前記給気口の外縁部と前記突出部材のフランジとの間に介在し、前記シール部材を閉方向に付勢する付勢手段とを備えていることを特徴とするエアー注入部の給気構造。
【請求項１１】
請求項１０記載のエアー注入部の給気構造において、
前記給気口の縁部には懸架部材が懸架されており、この懸架部材には、前記突出部材が移動自在に挿入された孔部が設けられており、
前記付勢手段は、前記給気口の外縁部と前記突出部材のフランジとの間ではなく、前記懸架部材の孔部の縁部と前記突出部材のフランジとの間に介在し、前記シール部材を閉方向に付勢していることを特徴とするエアー注入部の給気構造。
【請求項１２】
請求項１０又は１１記載のエアー注入部の給気構造において、
前記給気口はエアーポンプの給気部が接続可能になっており、
前記給気口に接続されたエアーポンプの給気部に、前記ガイド部材のフランジが前記付勢手段の付勢力に抗して押圧されることにより、前記シール部材が前記給気口を開放するようになっていることを特徴とするエアー注入部の給気構造。
【請求項１３】
請求項１０又は１１記載のエアー注入部の給気構造において、
前記給気口はエアーポンプの給気部が接続可能になっており、
前記給気部から給気されるエアーに前記シール部材が前記付勢手段の付勢力に抗して押圧されることにより、該シール部材が前記給気口を開放するようになっていることを特徴とするエアー注入部の給気構造。
【請求項１４】
請求項１０又は１１記載のエアー注入部の給気構造において、
前記エアー注入部の外面に設けられた凹部を更に備えており、
前記給気口は、前記エアー注入部ではなく、前記凹部の底板部又は側壁部に設けられており、
前記突出部材の前記給気口から突出する部分及びフランジが、前記凹部内に配置されていることを特徴とするエアー注入部の給気構造。
【請求項１５】
請求項１２又は１３記載のエアー注入部の給気構造において、
前記エアー注入部の外面に設けられた凹状のポンプ収容部を更に備えており、
前記給気口は、前記エアー注入部ではなく、前記ポンプ収容部の底板部又は側壁部に設けられており、
前記突出部材の前記給気口から突出する部分及びフランジが、前記ポンプ収容部内に配置されていることを特徴とするエアー注入部の給気構造。
【請求項１６】
請求項１４記載のエアー注入部の給気構造において、
前記凹部を塞ぐカバーを更に備えていることを特徴とするエアー注入部の給気構造。
【請求項１７】
請求項１５記載のエアー注入部の給気構造において、
前記ポンプ収容部を塞ぐカバーを更に備えていることを特徴とするエアー注入部の給気構造。
【請求項１８】
請求項１６又は１７記載のエアー注入部の給気構造において、
前記カバーを開状態及び／又は閉状態で維持するロック手段を更に備えていることを特徴とするエアー注入部の給気構造。
【請求項１９】
エアー注入部からエアーを排気するエアー注入部の排気構造であって、
前記エアー注入部に設けられた排気口と、
前記エアー注入部内に配置され且つ前記排気口を開閉可能なシール部材と、
このシール部材に設けられ且つ前記排気口から前記エアー注入部外に突出する部材であって、先端部にフランジを有する突出部材と、
前記排気口の外縁部と前記突出部材のフランジとの間に介在し、前記シール部材を閉方向に付勢する付勢手段とを備えていることを特徴とするエアー注入部の排気構造。
【請求項２０】
請求項１９記載のエアー注入部の排気構造において、
前記排気口の縁部には懸架部材が懸架されており、この懸架部材には、前記突出部材が移動自在に挿入された孔部が設けられており、
前記付勢手段は、前記排気口の外縁部と前記突出部材のフランジとの間ではなく、前記懸架部材の孔部の縁部と前記突出部材のフランジとの間に介在し、前記シール部材を閉方向に付勢していることを特徴とするエアー注入部の排気構造。
【請求項２１】
請求項１９又は２０記載のエアー注入部の排気構造において、
前記排気口はエアーポンプの排気部が接続可能になっており、
前記排気口に接続されたエアーポンプの排気部に、前記ガイド部材のフランジが前記付勢手段の付勢力に抗して押圧されることにより、前記シール部材が前記排気口を開放するようになっていることを特徴とするエアー注入部の排気構造。
【請求項２２】
請求項１９又は２０記載のエアー注入部の排気構造において、
前記エアー注入部の外面に設けられた凹部を更に備えており、
前記排気口は、前記エアー注入部ではなく、前記凹部の底板部又は側壁部に設けられており、
前記突出部材の前記排気口から突出する部分及びフランジが、前記凹部内に配置されていることを特徴とするエアー注入部の排気構造。
【請求項２３】
請求項２１記載のエアー注入部の排気構造において、
前記エアー注入部の外面に設けられた凹状のポンプ収容部を更に備えており、
前記排気口は、前記エアー注入部ではなく、前記ポンプ収容部の底板部又は側壁部に設けられており、
前記突出部材の前記排気口から突出する部分及びフランジが、前記ポンプ収容部内に配置されていることを特徴とするエアー注入部の排気構造。
【請求項２４】
請求項２２記載のエアー注入部の排気構造において、
前記凹部を塞ぐカバーを更に備えていることを特徴とするエアー注入部の排気構造。
【請求項２５】
請求項２３記載のエアー注入部の排気構造において、
前記ポンプ収容部を塞ぐカバーを更に備えていることを特徴とするエアー注入部の排気構造。
【請求項２６】
請求項２４又は２５記載のエアー注入部の排気構造において、
前記カバーを開状態及び／又は閉状態で維持するロック手段を更に備えていることを特徴とするエアー注入部の排気構造。
【請求項２７】
請求項１、２、３、４、５、６、７、８又は９記載のエアー注入部の給排気構造を備えていることを特徴とする遊戯用プール。
【請求項２８】
請求項１０、１１、１２、１３、１４、１５、１６、１７又は１８記載のエアー注入部の給気構造を備えていることを特徴とする遊戯用プール。
【請求項２９】
請求項１９、２０、２１、２２、２３、２４、２５又は２６記載のエアー注入部の排気構造を備えていることを特徴とする遊戯用プール。
【請求項３０】
筒状の前記エアー注入部により貯水部が区画された請求項２７、２８又は２９記載の遊戯用プールにおいて、
前記エアー注入部に設けられ且つ該エアー注入部を厚み方向に貫通する給排水路と、
前記エアー注入部の外面に設けられ且つ前記給排水口に連通する筒状の給排水口とを更に備えており、前記給排水口はホースが接続可能になっていることを特徴とする遊戯用プール。
【発明の詳細な説明】
【技術分野】
【０００１】
本発明は、マンションのベランダや家の庭等で使用される遊戯用プールに関し、特に、エアー注入部の給排気構造、エアー注入部の給気構造、エアー注入部の排気構造に関する。
【背景技術】
【０００２】
従来、遊戯用プールは、円筒状のエアー注入部の外面に給排気口が設けられている。この給排気口から前記エアー注入部にエアーが給気又は排気される（特許文献１参照）。前記給排気口には、該給排気口の周りを摘むことにより開く開閉弁が設けられているものがある。
【先行技術文献】
【特許文献】
【０００３】
【特許文献１】実開昭３７−２１１７２号公報
【発明の概要】
【発明が解決しようとする課題】
【０００４】
ところが、前記給排気口の周りを摘み、前記開閉弁を開いた状態を維持しながら、該給排気口から前記エアー注入部にエアーを給気又は排気する作業は非常に困難であった。
【０００５】
本発明は、上記事情に鑑みて創案されたものであって、その目的とするところは、エアー注入部に容易に給気及び／又は排気することができるエアー注入部の給排気構造、エアー注入部の給気構造、エアー注入部の排気構造及びこれらを備えた遊戯用プールを提供することにある。
【課題を解決するための手段】
【０００６】
上記課題を解決するために、本発明のエアー注入部の給排気構造は、エアー注入部に対してエアーを給排気するエアー注入部の給排気構造である。この給排気構造は、前記エアー注入部に設けられた給排気口と、前記エアー注入部内に配置され且つ前記給排気口を開閉可能なシール部材と、このシール部材に設けられ且つ前記給排気口から前記エアー注入部外に突出する部材であって、先端部にフランジを有する突出部材と、前記給排気口の外縁部と前記突出部材のフランジとの間に介在し、前記シール部材を閉方向に付勢する付勢手段とを備えている。
【０００７】
このような本発明のエアー注入部の給排気構造による場合、前記付勢手段の付勢力により、シール部材が前記給排気口を塞いでいる。このため、前記突出部材を前記付勢手段の付勢力に抗して押圧するだけで、前記シール部材に前記給排気口を開放させることができる。このように前記給排気口を簡単に開放することができるので、該給排気口を開放しつつ、前記エアー注入部に対して容易にエアーを給気及び排気することができる。
【０００８】
前記給排気口の縁部に懸架部材が懸架された構成とすることができる。この懸架部材には、前記突出部材が移動自在に挿入された孔部が設けられている。前記付勢手段は、前記給排気口の外縁部と前記突出部材のフランジとの間ではなく、前記懸架部材の孔部の縁部と前記突出部材のフランジとの間に介在し、前記シール部材を閉方向に付勢している。この場合、前記突出部材が孔部にガイドされるため、前記シール部材による前記給排気口の開閉が安定する。
【０００９】
前記給排気口はエアーポンプの給気部、排気部又は給排気部が接続可能な構成とすることができる。この場合、前記給排気口に接続されたエアーポンプの給気部、排気部又は給排気部に、前記突出部材のフランジが前記付勢手段の付勢力に抗して押圧されることにより、前記シール部材が前記給排気口を開放する構成とすることも可能である。この場合、エアーポンプの給気部、排気部又は給排気部を前記給排気口に接続するだけで、前記給排気口が開くので、前記エアー注入部に対して更に容易にエアーを給気及び排気することができる。
【００１０】
又は、前記給気部又は給排気部から給気されるエアーに、前記シール部材が前記付勢手段の付勢力に抗して押圧されることにより、該シール部材が前記給排気口を開放するように構成することも可能である。この場合、前記給気部又は給排気部から給気されるエアーの圧力により、前記給排気口が開くので、前記エアー注入部に対して更に容易にエアーを給気することができる。
【００１１】
前記給排気構造は、前記エアー注入部の外面に設けられた凹部を更に備えた構成とすることができる。前記給排気口は、前記エアー注入部ではなく、前記凹部の底板部又は側壁部に設けられている。前記突出部材の前記給排気口から突出する部分及びフランジは、前記凹部内に配置されている。よって、前記突出部材のフランジが不用意に押圧され、前記給排気口が開放されるのを防ぐことができる。
【００１２】
前記給排気構造は、前記エアー注入部の外面に設けられた凹状のポンプ収容部を更に備えた構成とすることができる。前記給排気口は、前記エアー注入部ではなく、前記ポンプ収容部の底板部又は側壁部に設けられている。前記突出部材の前記給排気口から突出する部分及びフランジは、前記ポンプ収容部内に配置されている。よって、前記突出部材のフランジが不用意に押圧され、前記給排気口が開放されるのを防ぐことができる。
【００１３】
前記給排気構造は、前記凹部を塞ぐカバーを更に備えた構成とすることができる。この場合、前記カバーにより前記凹部が塞がれているため、前記突出部材のフランジが不用意に押圧され、前記給排気口が開放されるのを更に防ぐことができる。
【００１４】
前記給排気構造は、前記ポンプ収容部を塞ぐカバーを更に備えた構成とすることができる。この場合、前記カバーにより、前記ポンプ収容部に収容されるエアーポンプに対して、防水及び／又は防塵することが可能になる。
【００１５】
前記給排気構造は、前記カバーを開状態及び／又は閉状態で維持するロック手段を更に備えている。この場合、エアーポンプの給排気時に、前記ロック手段により前記カバーを開状態で維持しておくことにより、前記カバーによりエアーポンプの給排気が邪魔されるのを防ぐことができる。
【００１６】
本発明のエアー注入部の給気構造は、エアー注入部に対してエアーを給気するエアー注入部の給気構造である。この給気構造は、前記エアー注入部に設けられた給気口と、前記エアー注入部内に配置され且つ前記給気口を開閉可能なシール部材と、このシール部材に設けられ且つ前記給気口から前記エアー注入部外に突出する部材であって、先端部にフランジを有する突出部材と、前記給気口の外縁部と前記突出部材のフランジとの間に介在し、前記シール部材を閉方向に付勢する付勢手段とを備えている。
【００１７】
このようなエアー注入部の給気構造による場合、前記付勢手段の付勢力により、シール部材が前記給気口を塞いでいる。このため、前記突出部材を前記付勢手段の付勢力に抗して押圧するだけで、前記シール部材に前記給気口を開放させることができる。このように前記給気口を簡単に開放することができるので、該給気口を開放しつつ、前記エアー注入部に対して容易にエアーを給気することができる。
【００１８】
前記給気口の縁部に懸架部材が懸架された構成とすることができる。この懸架部材には、前記突出部材が移動自在に挿入された孔部が設けられている。前記付勢手段は、前記給気口の外縁部と前記突出部材のフランジとの間ではなく、前記懸架部材の孔部の縁部と前記突出部材のフランジとの間に介在し、前記シール部材を閉方向に付勢している。この場合、前記突出部材が孔部にガイドされるため、前記シール部材による前記給気口の開閉が安定する。
【００１９】
前記給気口はエアーポンプの給気部が接続可能な構成とすることができる。この場合、前記給気口に接続されたエアーポンプの給気部に、前記ガイド部材のフランジが前記付勢手段の付勢力に抗して押圧されることにより、前記シール部材が前記給気口を開放する構成とすることが可能である。この場合、エアーポンプの給気部を前記給気口に接続するだけで、前記給気口が開くので、前記エアー注入部に対して更に容易にエアーを給気することができる。
【００２０】
又は、前記給気部から給気されるエアーに前記シール部材が前記付勢手段の付勢力に抗して押圧されることにより、該シール部材が前記給気口を開放するように構成することも可能である。この場合、前記給気部から給気されるエアーの圧力により、前記給気口が開くので、前記エアー注入部に対して更に容易にエアーを給気することができる。
【００２１】
前記給気構造は、前記エアー注入部の外面に設けられた凹状のポンプ収容部を更に備えた構成とすることができる。前記給気口は、前記エアー注入部ではなく、前記ポンプ収容部の底板部又は側壁部に設けられている。前記突出部材の前記給気口から突出する部分及びフランジは、前記ポンプ収容部内に配置されている。よって、前記突出部材のフランジが不用意に押圧され、前記給気口が開放されるのを防ぐことができる。
【００２２】
前記給気構造は、前記凹部を塞ぐカバーを更に備えた構成とすることができる。この場合、前記カバーにより前記凹部が塞がれているため、前記突出部材のフランジが不用意に押圧され、前記給気口が開放されるのを更に防ぐことができる。
【００２３】
前記給気構造は、前記ポンプ収容部を塞ぐカバーを更に備えた構成とすることができる。この場合、前記カバーにより、前記ポンプ収容部に収容されるエアーポンプに対して、防水及び／又は防塵することが可能になる。
【００２４】
前記給気構造は、前記カバーを開状態及び／又は閉状態で維持するロック手段を更に備えている。この場合、エアーポンプの給気時に、前記ロック手段により前記カバーを開状態で維持しておくことにより、前記カバーによりエアーポンプの給気が邪魔されるのを防ぐことができる。
【００２５】
本発明のエアー注入部の排気構造は、エアー注入部からエアーを排気するエアー注入部の排気構造である。この排気構造は、前記エアー注入部に設けられた排気口と、前記エアー注入部内に配置され且つ前記排気口を開閉可能なシール部材と、このシール部材に設けられ且つ前記排気口から前記エアー注入部外に突出する部材であって、先端部にフランジを有する突出部材と、前記排気口の外縁部と前記突出部材のフランジとの間に介在し、前記シール部材を閉方向に付勢する付勢手段とを備えている。
【００２６】
このようなエアー注入部の排気構造による場合、前記付勢手段の付勢力により、シール部材が前記排気口を塞いでいる。このため、前記突出部材を前記付勢手段の付勢力に抗して押圧するだけで、前記シール部材に前記排気口を開放させることができる。このように前記排気口を簡単に開放し、前記エアー注入部内のエアーを容易に排気することができる。
【００２７】
前記排気口の縁部に懸架部材が懸架された構成とすることができる。この懸架部材には、前記突出部材が移動自在に挿入された孔部が設けられている。前記付勢手段は、前記排気口の外縁部と前記突出部材のフランジとの間ではなく、前記懸架部材の孔部の縁部と前記突出部材のフランジとの間に介在し、前記シール部材を閉方向に付勢している。この場合、前記突出部材が孔部にガイドされるため、前記シール部材による前記排気口の開閉が安定する。
【００２８】
前記排気口はエアーポンプの排気部が接続可能な構成とすることができる。この場合、前記排気口に接続されたエアーポンプの排気部に、前記ガイド部材のフランジが前記付勢手段の付勢力に抗して押圧されることにより、前記シール部材が前記排気口を開放するようになっている。この場合、エアーポンプの排気部を前記排気口に接続するだけで、前記排気口が開くので、前記エアー注入部内のエアーを更に容易に排気することができる。
【００２９】
前記排気構造は、前記エアー注入部の外面に設けられた凹状のポンプ収容部を更に備えた構成とすることができる。前記排気口は、前記エアー注入部ではなく、前記ポンプ収容部の底板部又は側壁部に設けられている。前記突出部材の前記排気口から突出する部分及びフランジは、前記ポンプ収容部内に配置されている。よって、前記突出部材のフランジが不用意に押圧され、前記排気口が開放されるのを防ぐことができる。
【００３０】
前記排気構造は、前記凹部を塞ぐカバーを更に備えた構成とすることができる。この場合、前記カバーにより前記凹部が塞がれているため、前記突出部材のフランジが不用意に押圧され、前記排気口が開放されるのを更に防ぐことができる。
【００３１】
前記排気構造は、前記ポンプ収容部を塞ぐカバーを更に備えた構成とすることができる。この場合、前記カバーにより、前記ポンプ収容部に収容されるエアーポンプに対して、防水及び／又は防塵することが可能になる。
【００３２】
前記排気構造は、前記カバーを開状態及び／又は閉状態で維持するロック手段を更に備えている。この場合、エアーポンプの排気時に、前記ロック手段により前記カバーを開状態で維持しておくことにより、前記カバーによりエアーポンプの排気が邪魔されるのを防ぐことができる。
【００３３】
本発明の遊戯用プールは、上記給排気構造、給気構造又は排気構造を備えている。
【００３４】
筒状の前記エアー注入部により前記遊戯用プールの貯水部が区画されている場合、前記遊戯用プールは、前記エアー注入部に設けられ且つ該エアー注入部を厚み方向に貫通する給排水路と、前記エアー注入部の外面に設けられ且つ前記給排水口に連通する筒状の給排水口とを更に備えた構成とすることができる。前記給排水口はホースが接続可能になっている。この場合、前記ホースの一端部を前記給排水口に、他端部を水道の蛇口に接続することにより、水を貯水部に直接給水することができる。また、前記ホースの他端部を排水口等に向け、直接排水することができる。よって、ベランダや庭が水浸しになるのを防ぐことができる。
【図面の簡単な説明】
【００３５】
【図１】本発明の実施の形態に係る遊戯用プールの概略正面図である。
【図２】前記プールの概略図であって、（ａ）が平面図、（ｂ）が底面図である。
【図３】前記プールの概略図であって、（ａ）が右側面図、（ｂ）が左側面図である。
【図４】前記プールの図２（ａ）中のＡ−Ａ部分断面図である。
【図５】前記プールの図３（ｂ）中のα部分の拡大図ある。
【図６】前記プールの図３（ｂ）中のα部分のカバー開状態を示す拡大図ある。
【図７】前記プールの図３（ｂ）中のＢ−Ｂ断面図である。
【図８】前記プールのポンプ接続部にエアーポンプの給気口を接続した状態を示す概略図であって、（ａ）が前記プールの図３（ｂ）中のＢ−Ｂ断面図、（ｂ）が図４中のγ部分の拡大図である。
【図９】前記プールのポンプ接続部にエアーポンプの排気口を接続した状態を示す概略図であって、（ａ）が前記プールの図３（ｂ）中のＢ−Ｂ断面図、（ｂ）が図４中のγ部分の拡大図である。
【図１０】前記プールの図２（ａ）中のβ部分の拡大図である。
【図１１】前記プールの給排気を行うためのエアーポンプの概略図であって、（ａ）が底面図、（ｂ）が正面図である。
【発明を実施するための形態】
【００３６】
以下、本発明の実施の形態に係る遊戯用プールについて図１乃至図１１を参照しつつ説明する。ここに掲げる遊戯用プールは、底板シート１００と、エアー注入部２００と、ポンプ収容部３００と、カバー４００と、給排水路５００と、給排水口６００と、栓７００とを備えている。以下、各部について詳しく説明する。
【００３７】
底板シート１００は、図１、図２（ｂ）、図３及び図４に示すように、本遊戯用プールの底部をなす略長方形のビニール等の樹脂製の不透明シートである。このシート１００の外周縁部上には角筒状のエアー注入部２００が設けられている。エアー注入部２００は、外壁シート２１０と、内壁シート２２０と、天板シート２３０と、仕切りシート２４０とを有している。外壁シート２１０は、底板シート１００と略同じ外形を有する角筒状のビニール等の樹脂製の透明シートである。この外壁シート２１０の下端部はシート１００の外側端部に熱圧着されている。内壁シート２２０は、底板シート１００よりも外形が小さい角筒状のビニール等の樹脂製の透明シートである。この内壁シート２２０の下端部はシート１００の外壁シート２１０が熱圧着された部分よりも内側部分に熱圧着されている。天板シート２３０は、底板シート１００と略同じ外形を有する四角い枠状のビニール等の樹脂製の不透明シートである。この天板シート２３０の外側端部は外壁シート２１０の上端部に、内側端部は内壁シート２２０の上端部に各々熱圧着されている。
【００３８】
底板シート１００の外周縁部、外壁シート２１０、内壁シート２２０及び天板シート２３０により区画される空間が、図４に示すように、エアーが注入されるエアー注入空間となっている。このように底板シート１００の外周縁部はエアー注入部２００の一部を構成している。また、底板シート１００及び内壁シート２２０の外周縁部の内側部分により区画される空間が、図２（ａ）及び図４に示すように、貯水部Ｗとなっている。仕切りシート２４０は、図４に示すように、天板シート２３０よりも外形及び内形が小さい四角い枠状のビニール等の樹脂製のシートである。この仕切りシート２４０の外側端部は外壁シート２１０の中間部に、内側端部が内壁シート２２０の中間部に各々熱圧着されている。このように仕切りシート２４０が外壁シート２１０の中間部と内壁シート２２０の中間部との間に各々介在することにより、前記エアー注入空間を上下に二分している。仕切りシート２４０には、厚み方向に貫通する孔（図示せず）が設けられている。この孔を通じて仕切りシート２４０により二分した前記エアー注入空間の上下の空間にエアーが流通するようになっている。
【００３９】
外壁シート２１０の長さ方向の一端部には、図３（ｂ）乃至図６に示すように、ポンプ収容部３００及びカバー４００が設けられている。また、外壁シート２１０のポンプ収容部３００の両側部分には、図６に示すように、一対のベルクロテープ２１１（ロック手段）が設けられている。また、外壁シート２１０の上端部にも、図３及び図５に示すように、ベルクロテープ２１２が設けられている。カバー４００は、外壁シート２１０等と同じビニール等の長方形の樹脂製のシートである。このカバー４００の幅方向の一端部は外壁シート２１０のポンプ収容部３００の上側部分に熱圧着されている。これにより、カバー４００がポンプ収容部３００を覆う閉位置からポンプ収容部３００を開放する開位置にかけて回動するようになっている。カバー４００の内面の長さ方向の両端部には、図５及び図６に示すように、ベルクロテープ２１１に対応する位置に一対のベルクロテープ４１０が設けられている。ベルクロテープ２１１とベルクロテープ４１０とが接着することにより、カバー４００が閉位置で維持される。また、カバー４００の外面の先端部にも、ベルクロテープ２１２に対応する位置にベルクロテープ４２０が設けられている。ベルクロテープ２１２とベルクロテープ４２０とが接着することにより、カバー４００が開位置で維持される。
【００４０】
ポンプ収容部３００は、図３（ｂ）乃至図９に示すように、収容部本体３１０と、ポンプ接続部３２０と、給排気口３３０と、懸架部材３４０と、シール部材３５０と、突出部材３６０と、コイルスプリング３７０（付勢手段）とを有している。収容部本体３１０は、エアーポンプＰを収容可能な樹脂製の略矩形状のカップ体である。収容部本体３１０の外周縁部には、外側に凸の鍔部３１１が設けられている。この鍔部３１１が外壁シート２１０に接着されている。
【００４１】
エアーポンプＰは、給気部Ｐ１と、排気部Ｐ２と、羽根車と、電動モーターとを有している。このエアーポンプＰは、電動モーターで羽根車を回転させ、排気部Ｐ２から吸い込んだエアーを給気部Ｐ１から排出する構成となっている。給気部Ｐ１は有底の円筒体である。この給気部Ｐ１の底部には、中心部に円形の孔が形成されると共に、該孔の周りに１／４円弧状の複数のスリットが形成されている。排気部Ｐ２は、給気部Ｐ１と同径であり且つ両端部が切り落とされた円筒体と、この円筒体内部に立設された天板を有する円筒状の凸部Ｐ２１とを有している。凸部Ｐ２１の天板には、中心部に円形の孔が形成されると共に、該孔の周りに１／４円弧状の複数のスリットが形成されている。
【００４２】
ポンプ接続部３２０は、収容部本体３１０の底板部に一体的に設けられた樹脂製の円形の凹部である。ポンプ接続部３２０の内径は、エアーポンプＰの円筒状の給気部Ｐ１及び排気部Ｐ２の外径よりも若干大きくなっている。すなわち、ポンプ接続部３２０に給気部Ｐ１及び排気部Ｐ２が嵌合可能になっている。このポンプ接続部３２０の底側の孔がエアー注入部２００の前記エアー注入空間に対してエアーを給排気するための給排気口３３０となっている。ポンプ接続部３２０の給排気口３３０の両縁部には懸架部材３４０が懸架されている。この懸架部材３４０は樹脂製の板体である。懸架部材３４０の中央部には孔部３４１が設けられている。また、懸架部材３４０の孔部３４１の両側には、一対のガイド孔３４２が設けられている。
【００４３】
突出部材３６０は、フレーム３６１と、突出部材本体３６２と、フランジ３６３と、一対のガイド凸部３６４とを有している。フレーム３６１は、外径が給排気口３３０の内径よりも若干小さい円板体であって、部分的に円弧状に切り欠かれている。このフレーム３６１が給排気口３３０内に配置されている。突出部材本体３６２は、フレーム３６１の中心部に立設された円柱体である。この突出部材本体３６２が懸架部材３４０の孔部３４１に移動自在に挿入され、先端部が給排気口３３０からポンプ接続部３２０（すなわち、エアー注入部２００外）に突出している。突出部材本体３６２の先端部には円板状のフランジ３６３が設けられている。フランジ３６３はポンプ接続部３２０内に配置されている。突出部材本体３６２の長さ寸法は、図８に示すように、エアーポンプＰの給気部Ｐ１がポンプ接続部３２０に嵌合した状態で、フランジ３６３が給気部Ｐ１の底部に当接せず、図９に示すように、エアーポンプＰの排気部Ｐ２がポンプ接続部３２０に嵌合した状態で、フランジ３６３が排気部Ｐ２の凸部Ｐ２１の天板に当接し押圧される長さ寸法となっている。フランジ３６３の外径が排気部Ｐ２の凸部Ｐ２１の中心の孔よりも大きくなっている。このため、フランジ３６３が前述の通り凸部Ｐ２１の天板に当接可能になっている。また、フレーム３６１の突出部材本体３６２の両側には、一対のガイド凸部３６４が設けられている。このガイド凸部３６４は突出部材本体３６２よりも長さ寸法が小さい円柱体であって、懸架部材３４０のガイド孔３４２に移動自在に挿入されている。突出部材本体３６２及びガイド凸部３６４が、孔部３４１及びガイド孔３４２に各々移動自在にガイドされることにより、シール部材３５０による給排気口３３０の開閉の安定化を図っている。
【００４４】
シール部材３５０は、その外径が給排気口３３０の内径よりも大きいゴム製のパッキンである。このパッキン３５２がエアー注入部２００内に配置され且つ給排気口３３０を開閉するようになっている。コイルスプリング３７０は、突出部材本体３６２の周りに同心円状に配置され、且つ懸架部材３４０の孔部３４１の外周縁部と突出部材３６０のフランジ３６３との間に圧縮状態で介在する。このコイルスプリング３７０により、突出部材３６０及びシール部材３５０が閉方向（すなわち、突出部材本体３６２の突出方向）に付勢され、該シール部材３５０が給排気口３３０を閉塞した状態が維持されている。また、シール部材３５０はエアー注入部２００内のエアーの内圧によっても押圧され、該シール部材３５０が給排気口３３０を閉塞した状態が維持されている。コイルスプリング３７０の弾性力は、エアーポンプＰの給気部Ｐ１から供給されるエアーの圧力により、シール部材３５０が給排気口３３０を開く程度の弾性力に設定されている。
【００４５】
また、外壁シート２１０の長さ方向の他端部には、図２（ａ）、図３（ａ）、図４及び図８に示すように、給排水口６００が設けられている。この給排水口６００は樹脂製の略円筒体であって、先細り形状となっている。給排水口６００には図示しないホースが接続可能となっている。外壁シート２１０の他端部と内壁シート２２０との間には、図９に示すように、給排水口５００が設けられている。この給排水路５００の長さ方向の一端部は給排水口６００に通じている。給排水路５００の長さ方向の他端部は、貯水部Ｗに通じている。すなわち、給排水路５００がエアー注入部２００を厚み方向に貫通している。給排水路５００の他端部には栓７００が取り付けられている。この栓７００は給排水路５００の他端部を塞ぐ周知の弾性樹脂である。この栓７００を取り外すことにより、給排水路５００の他端部が開放される。すなわち、栓７００を開放した状態で、給排水口６００及び給排水路５００を通じて貯水部Ｗから水を給排水するようになっている。
【００４６】
以下、上述した構成の遊戯用プールのエアー給気の手順及び給水の手順について詳しく説明する。まず、図６に示すようにカバー４００を開き、カバー４００のベルクロテープ４２０とエアー注入部２００のベルクロテープ２１２とを接着させる。その後、エアーポンプＰをポンプ収容部３００に挿入し、エアーポンプＰの給気部Ｐ１をポンプ収容部３００のポンプ接続部３２０に嵌合させる。その後、エアーポンプＰの電動モーターをオンにする。すると、エアーポンプＰの排気部Ｐ２から吸入されたエアーが給気部Ｐ１から排出され、ポンプ収容部３００の給排気口３３０を通じてエアー注入部２００の上記エアー注入空間内に供給される。このとき、前記エアーによりシール部材３５０が押圧され、該シール部材３５０及び突出部材３６０がコイルスプリング３７０の付勢力に抗して開方向（前記閉方向の逆方向）に移動する。これにより、シール部材３５０が給排気口３３０を開放する。
【００４７】
エアー注入部２００の上記エアー注入空間へのエアーの注入が完了すると、エアーポンプＰの電動モーターをオフにする。すると、コイルスプリング３７０の付勢力によりシール部材３５０及び突出部材３６０が閉方向に移動し、シール部材３５０が給排気口３３０を塞ぐ。このため、エアー注入部２００からのエアー漏れを減少させることができる。その後、カバー４００のベルクロテープ４２０とエアー注入部２００のベルクロテープ２１２との接着を外し、カバー４００を閉じる。そして、図５に示すようにカバー４００のベルクロテープ４１０とエアー注入部２００のベルクロテープ２１１とを接着させる。これにより、エアーポンプＰがカバー４００に覆われる。その一方で、栓７００を取り外し、給排水路５００の他端部を開放すると共に、ホースの長さ方向の一端部を給排水口６００に、該ホースの長さ方向の他端部を水道の蛇口に接続する。その後、水道の蛇口を開く。すると、蛇口から供給された水が、ホース、給排水口６００及び給排水路５００を通じて貯水部Ｗ内に供給される。貯水部Ｗ内に水が溜まると、栓７００を給排水路５００の他端部に取り付け、ホースを給排水口６００から取り外す。この貯水の際に、エアーポンプＰはカバー４００に覆われているため、エアーポンプＰは濡れない。
【００４８】
以下、遊戯用プールの排水の手順及びエアー排気の手順について詳しく説明する。まず、ホースの一端部を給排水口６００に取り付ける。その後、ホースの他端部をベランダや庭等の排水口に向けた状態で、栓７００を取り外す。すると、給排水路５００、給排水口６００及びホースを通じて貯水部Ｗ内の水が前記排水口に排出される。給排水路５００が外壁シート２１０と内壁シート２２０との間に設けられ、且つ給排水口６００が外壁シート２１０に設けられているため、排水の際に遊戯用プールを持ち上げる必要がなく、容易に排水することができる。よって、底板シート１００に給排水口が設けられている遊戯用プールの如く、ベランダや庭が水浸しになるのを防ぐことができる。なお、排水の際にも、エアーポンプＰはカバー４００に覆われているため、エアーポンプＰは濡れない。
【００４９】
貯水部Ｗの水の排水が完了すると、カバー４００のベルクロテープ４１０とエアー注入部２００のベルクロテープ２１１との接着を外し、カバー４００を開く。そして、カバー４００のベルクロテープ４２０とエアー注入部２００のベルクロテープ２１２とを接着させる。この状態で、エアーポンプＰの給気部Ｐ１をポンプ収容部３００のポンプ接続部３２０から取り外し、エアーポンプＰの排気部Ｐ２をポンプ接続部３２０に嵌合させる。すると、排気部Ｐ２の凸部Ｐ２１の天板がポンプ収容部３００の突出部材３６０のフランジ３６３をコイルスプリング３７０の付勢力に抗して閉方向に押圧する。これにより、突出部材３６０及びシール部材３５０が閉方向に移動し、シール部材３５０が給排気口３３０を開放する。これにより、給排気口３３０からエアー注入部２００の上記エアー注入空間内のエアーが排気される。その後、エアーポンプＰの電動モーターをオンにし、排気部Ｐ２からエアー注入空間内のエアーを吸引し、給気部Ｐ１から排出する。
【００５０】
このような遊戯用プールによる場合、エアーポンプＰの給気部Ｐ１をポンプ接続部３２０に嵌合させ、エアーポンプＰの電動モーターをオンにするだけで、給気部Ｐ１から供給されるエアーの圧力により、シール部材３５０及び突出部材３６０がコイルスプリング３７０の付勢力に抗して開方向に移動し、該シール部材３５０が給排気口３３０を開放するようになっている。よって、エアー注入部２００内に簡単にエアーを給気することができる。また、エアーポンプＰの排気部Ｐ２をポンプ接続部３２０に嵌合させると、排気部Ｐ２の凸部Ｐ２１が突出部材３６０のフランジ３６３を押圧することにより、突出部材３６０及びシール部材３５０がコイルスプリング３７０の付勢力に抗して開方向に移動し、該シール部材３５０が給排気口３３０を開放するようになっている。よって、エアー注入部２００内のエアーを簡単に排気することができる。しかも、突出部材本体３６２の給排気口３３０から突出する部分及びフランジ３６３は、ポンプ収容部３００のポンプ接続部３２０内に配置されているので、フランジ３６３が不用意に押圧されることにより、シール部材３５０が給排気口３３０を開放してしまうのを防ぐことができる。
【００５１】
なお、上述した遊戯用プールは、特許請求の範囲の記載の範囲において任意に設計変形することが可能である。以下、詳しく説明する。
【００５２】
上記実施の形態では、シール部材３５０が給排気口３３０を開閉する構成であるとしたが、給気口又は排気口を開閉する構成とすることも可能である。この場合であっても、突出部材３６０及びシール部材３５０をコイルスプリング３７０の付勢力に抗して開方向に移動させることにより、シール部材３５０が給気口又は排気口を開放するので、エアー注入部２００内へのエアーの給気又は排気を簡単に行うことができる。
【００５３】
また、上記実施の形態では、エアーポンプＰの給気部Ｐ１から供給されるエアーの圧力により、シール部材３５０が給排気口３３０を開放するようになっているとしたが、これに限定されるものではない。例えば、排気部Ｐ２と同様に、凸部Ｐ２１を給気部Ｐ１内に設け、給気部Ｐ１がポンプ接続部３２０に嵌合した状態で、凸部Ｐ２１が突出部材３６０のフランジ３６３を押圧することにより、シール部材３５０が給排気口３３０を開放する構成とすることも可能である。この点は、シール部材３５０が給気口又は排気口を開閉する構成である場合も同様である。凸部Ｐ２１に代えて、給気部、排気部又は給排気部の先端部等により突出部材３６０のフランジ３６３を押圧させるようにしても構わない。すなわち、突出部材３６０のフランジ３６３を押圧し得る限り、該フランジ３６３を押圧する凸部Ｐ２１等押圧部は任意に設計変形することが可能である。
【００５４】
また、上記実施の形態では、エアーポンプＰを用いてエアーを給排気するとしたが、これに限定されるものではない。例えば、足踏み式のエアーポンプのホースの先端部をポンプ接続部３２０に嵌合させ、ポンプ接続部３２０の底の給排気口３３０、給気口又は排気口からエアーを給排気、給気又は排気するようにしても良い。また、エアーポンプを用いず、舌で突出部材３６０のフランジ３６３を押圧しながら、口から給排気口３３０又は給気口にエアーを供給するようにしても良い。また、指で突出部材３６０のフランジ３６３を押圧することにより、シール部材３５０が給排気口３３０又は排気口を開放し、これによりエアーを排気するようにしても良い。これらの場合、ポンプ収容部３００を省略し、給排気口３３０、給気口又は排気口を外壁シート２１０、内壁シート２２０又は天板シート２３０等に直接設けるようにすれば良い。あるいは、外壁シート２１０、内壁シート２２０又は天板シート２３０に樹脂製の凹部を設け、この凹部の底板又は側壁部に給排気口３３０、給気口又は排気口を設けても良い。後者の場合、突出部材３６０の突出部材本体３６２の先端部及びフランジ３６３は、給排気口３３０、給気口又は排気口から突出し前記凹部内に配置されるようにすれば、フランジ３６３が不用意に押圧され、エアーが抜けてしまうのを避けることができる。前記凹部をカバー４００で覆うようにすれば、フランジ３６３が不用意に押圧されることを更に防止することができる。なお、給排気口３３０、給気口又は排気口は、収容部本体３１０の底板又は側壁部に設けることも可能である。
【００５５】
また、上記実施の形態では、エアーポンプＰの円筒状の給気部Ｐ１及び排気部Ｐ２が、凹状のポンプ接続部３２０に嵌合する構成であるとしたが、これに限定されるものではない。例えば、エアーポンプＰの凹状の給気部及び排気部に、凸状のポンプ接続部３２０に嵌合する構成とすることも可能である。
【００５６】
上記実施の形態では、付勢手段としてコイルスプリング３７０を用いるとしたが、ゴム等の弾性樹脂等その他の周知の付勢手段により代替可能である。また、懸架部材３４０は省略可能である。懸架部材３４０を省略した場合、コイルスプリング３７０等の付勢手段は、給排気口３３０、給気口又は排気口の縁部と突出部材３６０のフランジ３６３との間に介在させるようにすれば良い。なお、ここでは、懸架部材の孔部は該懸架部材に設けられた凹部や切欠きを含む概念とする。
【００５７】
上記実施の形態では、突出部材３６０は、フレーム３６１と、突出部材本体３６２と、フランジ３６３と、一対のガイド凸部３６４を有するとしたが、少なくとも突出部材本体３６２及びフランジ３６３を有していれば良い。フランジ３６３の形状は円板状に限定されるものではなく、コイルスプリング３７０等の付勢手段の一端が当接可能なものである限り任意に設計変更することが可能である。
【００５８】
上述したカバー４００は、ビニール等の樹脂製のシートであるとしたが、これに限定されるものではない。例えば、プラスチック等の樹脂製の蓋体とすることも可能である。また、カバー４００は、ベルクロテープを用いて開位置及び閉位置で維持されるとしたが、その他のロック手段を用いることが可能である。その他のロック手段としては、カバー４００に孔又は凹部を空け、外壁シート２１０に設けられた突起部を前記孔又は凹部に係止させるものがある。前記孔又は凹部を外壁シート２１０設け、カバー４００に突起部を設けるようにしても構わない。また、前記ロック手段として粘着性を有する樹脂等を用いることも可能である。前記ロック手段は、カバーを開位置及び閉位置のいずれか一方で維持するものであれば良い。
【００５９】
上記実施の形態では、エアーポンプＰは、給気部Ｐ１及び排気部Ｐ２を有する構成であるとしたが、給気部Ｐ１、排気部Ｐ２及び給排気部の少なくとも一つを有する構成であれば良い。給排気部を有する場合、エアーポンプは電動モーターの回転を逆にして羽根車を逆回転させ、給気から排気に切り替えるようにすれば良い。
【００６０】
なお、上述した遊戯用プールの各部を構成する素材、形状や寸法はその一例を説明したものであって、上記実施の形態と同様の機能を実現し得る限り任意に設計変更することが可能である。上述した本発明は、遊戯用プールだけでなく、エアー注入部を有する浮輪やゴムボート等にも適応可能である。
【符号の説明】
【００６１】
１００・・・底板シート
２００・・・エアー注入部
２１０・・外壁シート
２１１・ベルクロテープ（ロック手段）
２１２・ベルクロテープ（ロック手段）
２２０・・内壁シート
２３０・・天板シート
２４０・・仕切りシート
３００・・・ポンプ収容部
３１０・・収容部本体
３２０・・ポンプ接続部
３３０・・給排気口
３４０・・懸架部材
３４１・孔部
３５０・・シール部材
３６０・・突出部材
３６１・フレーム
３６２・突出部材本体
３６３・フランジ
３７０・・コイルスプリング（付勢手段）
４００・・・カバー
４１０・・ベルクロテープ（ロック手段）
４２０・・ベルクロテープ（ロック手段）
５００・・・給排水路
６００・・・給排水口
７００・・・栓
Ｐ・・・・・エアーポンプ
Ｐ１・・・給気部
Ｐ２・・・排気部
Ｗ・・・・・貯水部
【図１】
2011058598.tif 000003
【図２】
2011058598.tif 000004
【図３】
2011058598.tif 000005
【図４】
2011058598.tif 000006
【図５】
2011058598.tif 000007
【図６】
2011058598.tif 000008
【図７】
2011058598.tif 000009
【図８】
2011058598.tif 000010
【図９】
2011058598.tif 000011
【図１０】
2011058598.tif 000012
【図１１】
2011058598.tif 000013